(57)【要約】【課題】複数の写真画像の付属情報を利用して、効率よく好ましい再生レベルで写真画像を再生する。【解決手段】複数の写真画像が記録されたＣＤ−Ｒから写真画像を読み出すと共に、写真画像に付属されている、フォルダ分けの有無、プリント履歴の有無などの再生のレベルを示す付属情報も読み取る。フォルダ分けされている場合、フォルダＢの写真画像に対して０．５秒、フォルダＡの写真画像に対して１秒以上の表示時間を夫々設定してスライド表示させる。また、フォルダ分けされていない場合、プリントされたことのある写真画像とプリントされたことの無い写真画像を夫々１秒と０．５秒の表示時間でスライド表示させる。【選択図】          図３
2004236121.tif 000002
【特許請求の範囲】
【請求項１】
複数の写真画像を再生する画像再生装置を備えた画像再生システムにおいて、
前記写真画像が、該写真画像の再生のレベルを決定するための情報として利用可能な付属情報を付属されたものであり、
前記画像再生装置が、前記付属情報を読み取る読取手段と、
前記付属情報に基づいて前記レベルを決定すると共に、決定された前記レベルで前記写真画像を再生する再生手段とを備えたものであることを特徴とする画像再生システム。
【請求項２】
複数の写真画像を記録した記録媒体であって、
前記写真画像が、該写真画像の再生のレベルを決定するための情報として利用可能な付属情報を付属された請求項１記載の画像再生システムに使用されるものであることを特徴とする記録媒体。
【請求項３】
前記付属情報が、プリント履歴またはプリント指示の有無、画像サイズ、画質レベル、類似写真画像の数のうち少なくとも１つを含むものであることを特徴とする請求項２記載の記録媒体。
【請求項４】
再生のレベルを決定するための情報として利用可能な付属情報が夫々付属された複数の写真画像を再生する画像再生装置であって、
前記写真画像の前記付属情報を読み取る読取手段と、
前記付属情報に基づいて前記レベルを決定すると共に、決定された前記レベルで前記写真画像を再生する再生手段とを備えた請求項１記載の画像再生システムに使用されるものであることを特徴とする画像再生装置。
【請求項５】
前記再生手段が、再生するか否かを前記レベルとして決定すると共に、再生するように決定された前記写真画像のみを再生するものであることを特徴とする請求項４記載の画像再生装置。
【請求項６】
前記再生手段が、プリントサイズを前記レベルとして決定すると共に、決定された前記プリントサイズで前記写真画像を印刷する印刷手段であることを特徴とする請求項４記載の画像再生装置。
【請求項７】
前記再生手段が、スライド表示時の表示時間を前記レベルとして決定すると共に、決定された前記表示時間で前記写真画像をスライド表示するものであることを特徴とする請求項４記載の画像再生装置。
【請求項８】
請求項１記載の画像再生システムに使用される複数の写真画像を再生する処理をコンピュータに行わせるプログラムであって、
前記処理が、前記写真画像に付属された、該写真画像の再生のレベルを決定するための情報として利用可能な付属情報を読み取る処理と、
該付属情報に基づいて前記レベルを決定すると共に、決定された前記レベルで前記写真画像を再生する処理とからなることを特徴とするプログラム。
【発明の詳細な説明】
【０００１】
【発明の属する技術分野】
本発明は、複数の写真画像を再生する画像再生システムおよびそれに使用される記録媒体および画像再生装置並びにプログラムに関するものである。
【０００２】
【従来の技術】
デジタルカメラ（カメラ付き携帯電話機を含む。以下同じ）の普及およびデジタルカメラにより撮影して得た写真画像を記録保存する内蔵メモリや、メモリカードなどのメディアの大容量化および低価格化に伴って、デジタルカメラを使用した撮影が気軽に行われ、撮影ショット数が飛躍的に増える傾向がある。例えば、スナップ写真の撮影を行う際に、被写体の良い表情の瞬間の写真を撮るために、同じ被写体を複数回撮影することが多い。また、スポーツ写真などの場合にはタイミングの良い画像を得るために連続して多数の撮影を行うのが普通である。デジタルカメラにより取得した写真画像を管理するソフトウェアとして、例えば、デジタルカメラにより取得した写真画像をサムネイル表示し、表示したサムネイル画像のうちの１コマが選択されたとき、この１コマを拡大表示するようにコンピュータ上で動作するデジタルカメラの写真画像管理ソフトが様々開発されている。ユーザはサムネイル表示された画像から自分の所望する画像を選択したりすることによって、この画像を拡大表示して確認し、ベターショットを選別することができる。
【０００３】
一方、サムネイル表示された画像が小さ過ぎて人物の表情の良し悪しまで判別できないケースが多く、サムネイル画像からベターショットを選別するのは困難である。また、拡大表示すると、画像の良し悪しを判断することが容易であるが、複数のコマの比較が難しいため、連続撮影して得た写真画像からベターショットを選択するのに手間がかかり、効率が良くないため、ユーザの代わりに自動的にベターショットを選別する方法が希望される。
【０００４】
また、近年、プリント注文受付機が普及してきているが、これらのプリント注文受付機を利用してプリント注文を行う際にプリントすべきコマを選ぶ方法としては、写真画像を記録したメモリカードや、ＣＤ−ＲＯＭなどの記録媒体を挿入し、写真画像を一覧表示してプリント注文したいコマを指定するか、全コマプリントボタンを押すことによって全ての写真画像をプリント注文するかのいずれかの操作方法しかない。一覧表示した写真画像からプリント注文したいコマを指定する方法は、前述のように画像の良し悪しの判断が難しいという問題があり、全コマプリントを行う方法は、不要な画像までプリントしてしまうため、無駄が多く、不経済であるため、プリント注文受付機においてユーザがプリントしたい写真画像を選択するのは大変な作業である。
【０００５】
特許文献１には、多量の写真画像からベターショットを自動的に選択する方法が提案されている。この方法は、複数の写真画像に対して解析処理を行い、所定の判定基準を満たす写真画像（合格画像）と他の写真画像（不合格画像）とを区別できるように保存する（例えば、合格写真画像と他の写真画像とをＣＤ−Ｒなどの記録媒体の異なるフォルダに保存する）ことによって、ユーザに代わって自動的にベターショットを他の写真画像とを分別することができるようにしたものである。また、特許文献１には、複数の写真画像から合格写真を選出すると共に、合格写真画像と不合格写真画像とに対して異なるプリントサイズで印刷する方法、具体的には、例えば合格写真画像のみ本印刷し、不合格写真画像はインデックス印刷しかしない処理方法も記載されている。
【０００６】
また、メモリカードなどのメディアに記録された写真画像をプリントする際に、一旦プリントされた、またはプリント指示された写真画像に対して、プリントされた、またはプリント指示されたことを示す情報を付するプリントシステム（プリント注文受付機）もある。
【０００７】
【特許文献１】
特開２００１−２５６４９８号公報
【０００８】
【発明が解決しようとする課題】
このように、多量の写真画像からユーザの手作業によりベターショットを選出する困難さを解消するため、ユーザが選出を行った後、再度閲覧するときの便利のため、選出した写真画像と他の写真画像とを別々のフォルダに保存することが行われている。しかし、上述した管理ソフトウェアを用いてこれらの写真画像を閲覧するときには各フォルダの写真画像が同じ仕方で表示されるので、選別を行ったユーザ以外の他のユーザは、各フォルダにある写真画像の性質（ベターショットか否か）を知らされていなければ、せっかく選別が行われたにも拘らず全ての写真を閲覧することとなる。またこれらの異なるフォルダに保存された写真画像を、ネットワークを介してプリントシステムに送信してプリント注文したり、記録媒体に記録して前述のプリント注文受付機に挿入してプリント注文を行ったりする際には、従来のようにプリントしたい画像を改めて選択するか、または全てプリントするような注文の仕方しか採ることができない。
【０００９】
また、上述したようにユーザの代わりに自動的にベターショットを選出して、合格写真画像と不合格写真画像とに対して異なる処理を施す方法では、入力された複数の写真画像が、上述した選出処理が行われたものであるにも拘わらず、自動的に解析して合格写真の抽出などの処理を施してしまうという問題がある。例えば、既に一度上述の分別処理がなされた複数の写真画像を記録した記録媒体をプリント受付機に挿入すると、プリント受付機がこれらの全ての写真画像に対して再び合格写真の抽出などの処理を行ってしまうことになり、無駄である。
【００１０】
また、上述したように、ユーザの意図により、例えばプリント、表示などの再生をしたい写真画像とそうではない写真画像とを手作業で異なるフォルダに保存することもあり、このような場合に対しても、上述のベターショットを自動的に選出する方法では、ユーザの意図を反映した再生、すなわちあるフォルダの写真画像を再生し、あるフォルダの写真画像を再生しない（またはプリントサイズを変えたり、表示時間を変えたりするなど異なるレベルで再生する）ように再生を行うことができない。
【００１１】
また、一度プリント注文された画像に対してプリントされたことまたはプリント指示されたことを示す履歴情報を付するプリントシステム（プリント注文受付機を含む）の場合、この履歴情報を後の再生に活用したいという要望がある。
【００１２】
本発明は、上記事情に鑑みてなされたものであり、複数の写真画像を再生する際に、これらの写真画像に対して施された何らかの処理によって、各々の写真画像に付属された、該写真画像を再生することに関係する情報を利用して効率の良い再生を実現することができる画像再生システム、並びにそれに使用される記録媒体、画像再生装置およびプログラムを提供することを目的とするものである。
【００１３】
【課題を解決するための手段】
本発明の画像再生システムは、複数の写真画像を再生する画像再生装置を備えた画像再生システムにおいて、
前記写真画像が、該写真画像の再生のレベルを決定するための情報として利用可能な付属情報を付属されたものであり、
前記画像再生装置が、前記付属情報を読み取る読取手段と、
前記付属情報に基づいて前記レベルを決定すると共に、決定された前記レベルで前記写真画像を再生する再生手段とを備えたものであることを特徴とするものである。
【００１４】
本発明の記録媒体は、前記画像再生システムに使用される、複数の写真画像を記録した記録媒体であって、
前記写真画像が、該写真画像の再生のレベルを決定するための情報として利用可能な付属情報を付属されたものであることを特徴とするものである。
【００１５】
本発明の画像再生装置は、再生のレベルを決定するための情報として利用可能な付属情報が夫々付属された、前記画像再生システムに使用される複数の写真画像を再生する画像再生装置であって、
前記写真画像の前記付属情報を読み取る読取手段と、
前記付属情報に基づいて前記レベルを決定すると共に、決定された前記レベルで前記写真画像を再生する再生手段とを備えたことを特徴とするものである。
【００１６】
本発明のプログラムは、本発明の画像再生システムに使用される複数の写真画像を再生する処理をコンピュータに行わせるプログラムであって、
前記処理が、前記写真画像に付属された、該写真画像の再生のレベルを決定するための情報として利用可能な付属情報を読み取る処理と、
該付属情報に基づいて前記レベルを決定すると共に、決定された前記レベルで前記写真画像を再生する処理とからなることを特徴とするものである。
【００１７】
ここで、本発明における「写真画像」とは、写真画像を表すデジタルデータのことを意味し、例えばデジタルカメラにより撮影して得た複数の写真画像とすることができるが、これに限られるものではなく、例えば、撮影済みの銀塩写真フィルムをスキャンして得た複数の写真画像のデジタルデータも含むものである。
【００１８】
また、本発明において、写真画像が入力される方式は、ネットワークを介して送信されてくる態様であってもよいし、メモリカードなどのメディアや、ＣＤ−Ｒなどの記録媒体に記録された状態で前記画像再生装置に読み取られる態様であってもよい。
【００１９】
また、「再生」とは、デジタル画像データを視覚的に鑑賞可能にすることを意味し、モニタなどの表示装置に表示することや、プリントすることなどを例として挙げることができる。また、表示することは、複数の写真画像を所定の時間間隔（必ずしも均一的な時間間隔に限られるものではない）で順に表示するスライド表示を含むものである。
【００２０】
また、「再生のレベル」とは、同じ再生方式におけるレベルを意味し、再生しないことも１つのレベルである。例えば、再生方式が印刷である場合、再生のレベルとして、「印刷する」、「印刷しない」、またはより細かく、「通常サイズで印刷する」、「インデックス印刷する」などを例として挙げることができ、再生方式が表示である場合、「表示する」、「表示しない」、「拡大表示する」、「サムネイル表示する」などを例として挙げることができる。さらに、スライド表示する場合、前述した各々のレベルの例に加え、表示時間の長短も再生のレベルである。
【００２１】
また、本発明において、「写真画像の再生のレベルを決定するための情報として利用可能な付属情報」とは、これらの写真画像を再生する際に、再生のレベルを決定するための情報として利用することができるものであればいかなる情報であってもよく、上述した例の各再生のレベルを直接的に示す情報は勿論、間接的に再生のレベルを示すものであって、本発明の画像再生装置の再生手段はそれに基づいて再生のレベルを決定ことができる情報であってもよい。間接的に再生のレベルを示す情報としては、例えば、プリント履歴の有無（プリントされたことがあるか否か）、プリント指示の有無（プリントするように指示されたか否か）、画像サイズ、画質レベル（圧縮率など）、類似写真画像の数などを例として挙げることができる。複数の写真画像からベターショットを選出する際に、同じシーンや同じ被写体を重複して撮影する状況を考慮して効率良く選出する方法としては、例えば、お互いに類似する写真画像をグループ化し、グループごとにベターショットを選出する方法が考えられるので、このようなベターショットを選出する方法によって選出されたベターショットの写真画像の場合には、類似する写真画像の数を、再生レベルを示す付属情報として付すことが可能である。また、ベターショットの選出に関係なく、操作者（例えば、撮影して得た写真画像を整理するユーザ）の目視などによって取得した数を付したものであってもよい。
【００２２】
すなわち、本発明の写真画像に付属される付属情報は、写真画像に対して何らかの処理を施したことによって写真画像を異なるグループに分類する分類基準を示す情報とすることができ、例えば、プリントを選択的に行ったことによる「プリントした」と「プリントしていない」、手動または自動選出によりベターショットを選出した際にベターショットの写真画像を通常サイズ、他の画像を小さいサイで保存したことによる「通常サイズ」と「小さいサイズ」、ベターショットの画像を低圧縮率、他の画像を高圧縮率で保存したことによる「高圧縮率」と「低圧縮率」などの情報とすることができる。
【００２３】
また、本発明における「再生のレベル」は、本発明の画像再生装置の再生手段による再生の方式での再生のレベルを意味するものである。一方、写真画像の付属情報は、何らかの再生処理と関連したもの、例えば、前述した「プリントした」と「プリントしていない」、「プリント指示されている」と「プリント指示されていない」、「表示する」と「表示しない」などの情報である場合がある。このような場合においても、本発明の画像再生装置は、付属情報が関連した再生処理の方式に拘わらず、付属情報に基づいて本発明の再生手段により再生方式での再生レベルを決定する。すなわち、写真画像の付属情報は、何らかの再生処理と関連したものである場合、この再生処理の「再生」は、必ずしも本発明の画像再生装置の再生手段による「再生」と同じ方式を有する必要がない。例えば、写真画像の付属情報として、「プリントする」、「プリントしない」の２種類の情報がある場合、これらの写真画像をコンピュータのモニタに表示する際に、再生手段（ここでは、コンピュータに実装された画像表示用ソフトウェアとモニタとなる）は「プリントする」、「プリントしない」の付属情報に基づいて表示用のレベルを決定する。さらに、この表示用のレベルとして、画像再生システムまたは画像再生装置の規定により「表示する」、「表示しない」としてもよいし、「ｍ秒間」、「ｍ秒より短いｎ秒間」のようにスライド表示の表示時間とするようにしてもよい。すなわち、このような場合において、「プリントしない」レベルは、必ずしも「表示しない」レベルとなることに限らず、「表示する」レベルより低いレベルであることが望ましく、例えば、通常表示に対するインデックス表示、スライド表示における通常表示時間に対する、通常表示時間より短い表示時間とすることができる。
【００２４】
また、この再生のレベルを示す情報は、各写真画像に直接付属されたものであってもよいし、写真画像の属するグループ（例えたフォルダ）に付属されたことにより、該グループ内の全ての写真画像に付属されたものであってもよい。例えば、複数の写真画像が異なるフォルダに属している場合、「再生しない」フォルダに属した各写真画像が、「再生しない」付属情報を有することとなる。
【００２５】
【発明の効果】
本発明の画像再生システムおよび画像再生装置によれば、複数の写真画像を再生する際に、写真画像が、その写真画像の再生のレベルを示す情報を付属情報として付属されており、画像再生装置がその付属情報を読み取り、読み取った付属情報に基づいて、その付属情報の示すレベルで写真画像を再生するようにしているから、ユーザが意図した分類または複数の写真画像からベターショットの自動選出などによる分類の結果を付属情報に託して再生に利用することによって、多量の写真画像を効率良く、好ましい再生レベルで再生することができる。
【００２６】
【発明の実施の形態】
以下、図面を参照して、本発明の実施形態について説明する。
【００２７】
図１は、本発明の画像再生システムの実施形態となる画像表示システムの構成を示すブロック図である。図示のように、本実施形態の画像表示システムは、複数の写真画像を編集すると共に編集済みの写真画像をＣＤ−Ｒ３０に記録するための編集装置１０と、複数の写真画像に対するプリント受注処理を行うと共にこれらの写真画像をＣＤ−Ｒ３０に記録するプリント注文受付機２０と、ＣＤ−Ｒ３０に記録された写真画像を表示する画像表示装置５０とからなるものである。
【００２８】
編集装置１０は、撮影して得た複数の写真画像を編集することが可能なものであり、説明の便宜のため、１０ａ、１０ｂ、１０ｃ、１０ｄにおいて写真画像が夫々異なる編集の仕方されることとする。編集装置１０ａは、従来の画像管理ソフトウェアがインストールされたパーソナルコンピュータ（以下パソコンという）であり、図示しないスキャナが備えられたものである。ユーザが編集装置１０ａにおいて、スキャナを用いて写真フィルムをスキャンすることによってフィルムに撮像された複数の写真画像を取得すると共に、インストールされた画像管理ソフトウェアを利用して写真画像を閲覧し、手動で気に入った写真画像をフォルダＡに、他の写真画像をフォルダＢに分けてＣＤ−Ｒ３０に記録保存する。編集装置１０ｂは、デジタルカメラにより取得した複数の写真画像を記録したメモリカードから写真画像を読み出すと共に、読み出した写真画像から画質の良いものを自動的に選出する画像管理ソフトウェアがインストールされたパソコンであり、選出した画質の良い写真画像をそのままの画像サイズで、他の写真画像を縮小してＣＤ−Ｒ３０に記録保存する。編集装置１０ｃは、選出した画質の良い写真画像を通常の圧縮率で圧縮する一方、他の写真画像を高圧縮率で圧縮してＣＤ−Ｒ３０に記録保存する点以外、編集装置１０ｂと同様の動作をする画像管理ソフトウェアをインストールされたパソコンである。編集装置１０ｄは、デジタルカメラにより取得した複数の写真画像を記録したメモリカードから写真画像を読み出すと共に、これらの写真画像を類似した写真画像からなる類似写真画像群に分け、各類似写真画像群からベターショットを選出して、ベターショットの写真画像と他の写真画像とを夫々フォルダＡとフォルダＢに分けてＣＤ−Ｒ３０に記録保存させる画像管理ソフトウェアがインストールされたパソコンであり、ＣＤ−Ｒに記録する際に、各ベターショットの写真画像（ここでは、フォルダＡの各写真画像）に、この写真画像の類似写真画像の数も付属させるものである。
【００２９】
プリント注文受付機２０は、複数の写真画像を記録したメモリカードや、ＣＤ−Ｒなどの記録媒体から写真画像を読み出して図示しないモニタに表示してユーザにプリントしたい写真画像を選択させ、選択された写真画像をプリントすると共に、プリントするように選択された写真画像にプリントした履歴を示す情報を付属させ、選択されなかった写真画像と共にＣＤ−Ｒ３０に記録させるように動作するものである。
【００３０】
なお、編集装置１０ａ、１０ｂ、１０ｃ、１０ｄおよびプリント注文受付機２０により写真画像を記録保存させるＣＤ−Ｒは、別々のものであるが、ここでは同じ番号３０を付与して説明を行う。
【００３１】
図２は、図１に示す画像表示システムにおける画像表示装置５０の構成を示すブロック図である。なお、図２のような画像表示装置５０の構成は、補助記憶装置に読み込まれた画像表示プログラムをコンピュータ（たとえばパソコンなど）上で実行することにより実現される。また、この画像表示プログラムは、ＣＤＲＯＭ等の記憶媒体に記憶され、もしくはインターネット等のネットワークを介して配布され、コンピュータにインストールされることになる。図２に示すように、画像表示装置５０は、ＣＤ−Ｒ３０に記録された写真画像を読み出すと共に、これらの写真画像の付属情報も読み取る画像入力部５２と、各写真画像の付属情報に基づいて写真画像の表示時間を夫々の写真画像に対して設定し、設定した各々の表示時間でこれらの写真画像をモニタ６０にスライド表示させる表示部５６とを備えたものである。以下、図３のフローチャートを利用して、画像表示装置５０の動作を具体的に説明する。
【００３２】
図３に示すように、画像表示装置５０の動作は、画像入力部５２により、ＣＤ−Ｒ３０から写真画像の読み出しから始まる。画像入力部５２は、ＣＤ−Ｒ３０から、ＣＤ−Ｒ３０に記録された複数の写真画像を読み出すと共に、これらの写真画像の付属情報も読み取る（Ｓ１０）。これらの付属情報は、本実施形態において、編集装置１０ａ、１０ｂ、１０ｃ、１０ｄおよびプリント注文受付機２０により写真画像を記録されたＣＤ−Ｒ３０の順に、夫々フォルダＡかフォルダＢか、通常画像サイズの写真画像か縮小された写真画像か、通常圧縮率の写真画像か高圧縮率の写真画像か、フォルダＡかフォルダＢかおよびフォルダＡにおける各写真画像の類似写真画像の数、プリントした履歴の有無を示す情報となる。
【００３３】
表示部５６は、画像入力部５２により読み取った付属情報に基づいて、まず各写真画像の表示時間を設定する（Ｓ１５〜Ｓ８０）。具体的には、まず、各写真画像の付属情報の種類を解析し、フォルダＡかフォルダＢかの付属情報、すなわち、写真画像がフォルダＡとフォルダＢに分けられているか否かを確認する（Ｓ１５）。フォルダ情報があれば、すなわち写真画像がフォルダ分けにされていれば（Ｓ１５：Ｙｅｓ）、フォルダＢの各写真画像に対して０．２秒間の表示時間を設定する（Ｓ２０：Ｎｏ、Ｓ２５）と共に、フォルダＡの写真画像に類似画像の数を示す付属情報があるか否かを確認する（Ｓ３０）。類似画像の数を示す付属情報がなければ（Ｓ３０：Ｎｏ）、フォルダＡの全ての写真画像に対して１秒間の表示時間を設定する（Ｓ３５）一方、類似画像の数を示す付属情報があれば（Ｓ３０：Ｙｅｓ）、この類似画像の数に基づいてさらに細かくフォルダＡの各写真画像の表示時間を設定する。具体的には、類似写真画像の数が３つ以下、３つより多いが５つ以下、５つより多いが１０つ以下、１０つより多い写真画像に対して夫々１秒間の表示時間（Ｓ４０：Ｙｅｓ、Ｓ３５）、１．５秒間の表示時間（Ｓ４０：Ｎｏ、Ｓ４２：Ｙｅｓ、Ｓ４４）、２．５秒間の表示時間（Ｓ４０：Ｎｏ、Ｓ４２：Ｎｏ、Ｓ４６：Ｙｅｓ、Ｓ４８）、４秒間の表示時間（Ｓ４０：Ｎｏ、Ｓ４２：Ｎｏ、Ｓ４６：Ｎｏ、Ｓ５０）を設定する。
【００３４】
一方、ステップＳ１５において、各写真画像がフォルダ分けされていない場合（Ｓ１５：Ｎｏ）、表示部５６は、付属情報のうち、プリントしたことを示すプリント履歴情報の有無を確認し（Ｓ６０）、有れば（Ｓ６０：Ｙｅｓ）、プリント履歴情報がある写真画像に対して１秒間の表示時間を設定する（Ｓ６２：Ｙｅｓ、Ｓ８０）一方、プリント履歴情報の無い写真画像に対して０．５秒間の表示時間を設定する（Ｓ６２：Ｎｏ、Ｓ２５）。ステップＳ６０において、付属情報のうち、プリント履歴情報が無ければ（Ｓ６０：Ｎｏ）、各写真画像の画像サイズが異なるか否かを確認する。写真画像が通常サイズと縮小サイズとの２種類になっていれば、通常サイズの写真画像に対して１秒間の表示時間を設定する一方、縮小サイズの写真画像に対して０．５秒間の表示時間を設定する。さらに、各写真画像のサイズが同様であれば、写真画像の圧縮率を確認し、通常圧縮率で圧縮された写真画像に対して１秒間の表示時間を設定する一方、高い圧縮率で圧縮された写真画像に対して０．５秒間の表示時間を設定する（Ｓ７０：Ｎｏ、Ｓ２５）（Ｓ７０：Ｙｅｓ、Ｓ８０）。
【００３５】
全ての写真画像に対する表示時間の設定を終えれば、表示部５６は、各写真画像に対して設定された表示時間でこれらの写真画像をモニタ６０にスライド表示させ（Ｓ９０）、処理を終了する。
【００３６】
このように、本実施形態の画像表示システムは、複数の写真画像を表示する際に、写真画像の付属情報に基づいて各々の写真画像の再生のレベル（ここでは、スライド表示の表示時間）を決定し、決定された再生レベルで写真画像を再生することによって、多量の写真画像を効率良く再生することを実現することができる。
【００３７】
上述において、本発明の一実施形態について説明したが、本発明は、上述した実施形態に限られるものではなく、本発明の主旨を変えない限り、様々な変更、増減を加えることができる。
【００３８】
例えば、図１に示す画像表示システムは、フォルダＡ、フォルダＢに分けられた写真画像に対してフォルダＢの写真画像を０．５秒間表示し、フォルダ分けがされていない写真画像のうち、プリント履歴のある写真画像を１秒間表示するなどのように、写真画像の付属情報に基づいて各々の写真画像の再生のレベルとして表示の時間を固定的に決定するようにしているが、再生のレベルを自動的に設定する一方、各レベルに対応した表示時間を操作者に設定させるなど、変更可能とするようにしてもよい。例えば、図１に示す画像表示システムにおいて、再生のレベルを「レベル１」、「レベル２」、．．．のように分け、操作者により各レベルに対応する具体的な表示時間を夫々設定させる表示条件設定手段を設け、写真画像を表示する際に、写真画像の付属情報に基づいて再生のレベルを「レベル１」、「レベル２」、．．．のうちの該当するレベルに決定すると共に、操作者により前述の表示条件設定手段においてこのレベルに対して設定された具体的な表示時間で写真画像を表示するようにして本発明のシステムを構成してもよい。なお、この場合、各レベルに対応する表示時間のデフォルト値を設け、操作者により設定されていない場合、デフォルト値を用いることができるようにすることが好ましい。
【００３９】
さらに、上述のような表示条件設定手段において各レベルに対応する表示時間を設定する態様も、前述した態様に限られることがなく、例えば、操作者に全ての写真画像を表示する全体の時間のみを設定させ、表示する写真画像の数に応じて各レベルに対応する表示時間を増減させるようにしてもよい。
【００４０】
また、図１に示す画像表示システムは、本発明の画像再生システムを表示することに適用したものであるが、本発明の画像再生システムは、写真画像の付属情報に基づいてプリントするサイズ（例えば通常サイズかインデックスか）を決定し、異なる付属情報を有する写真画像を異なるサイズでプリントするようにしてもよい。
【００４１】
また、再生のレベルとしても、表示時間の長短、プリントサイズの大小以外に、表示しない、プリントしないことを含むものとしてもよい。
【００４２】
また、図１に示す実施形態の画像表示システムは、様々な態様の付属情報を対象としたものであるが、本発明の画像再生システムおよび装置並びにプログラムは、必ずしもこれらすべての態様の付属情報に対応する必要がない。
【００４３】
また、図１に示す実施形態の画像表示システムは、記録媒体ＣＤ−Ｒ３０から写真画像を読み出して処理を行うものであるが、ネットワークを介して送信されてきた写真画像に対して処理を行うものであってもよい。
【００４４】
また、写真画像を記録する記録媒体も、ＣＤ−Ｒに限られるものではない。
【図面の簡単な説明】
【図１】本発明の一実施形態となる画像表示システムの構成を示すブロック図
【図２】図１に示す画像表示システムにおける画像表示装置５０の構成を示すブロック図
【図３】図２に示す画像表示装置５０の動作を示すフローチャート
【符号の説明】
１０    編集装置
２０    プリント注文受付機
３０    ＣＤ−Ｒ
５０    画像再生装置
５２    画像入力部
５６    表示部５６
６０    モニタ
【図１】
2004236121.tif 000003
【図２】
2004236121.tif 000004
【図３】
2004236121.tif 000005